(57)【要約】【課題】製作コストを抑制し、かつ、多様な意匠性を有するボールを提供する。【解決手段】ボールは、透明または半透明な素材で構成される中空状コア層１と、透明または半透明な素材で構成され、中空状コア層１の表面に一体的に設けられた表面層２と、中空状コア層１内に挿入された一群のフィルム小片３と、を備える。ボールはクラブの打撃により回転する。これに伴い、フィルム小片３は中空状コア層１内面に付着し、次の打撃により剥離する。【選択図】  図１
2018079084.tif 000002
【特許請求の範囲】
【請求項１】
透明または半透明な素材で構成される中空状コア層と、
透明または半透明な素材で構成され、前記中空状コア層の表面に一体的に設けられた表面層と、
前記中空状コア層内に挿入された一群のフィルム小片と、
を備えることを特徴とするボール。
【請求項２】
ボールが回転することにより、前記フィルム小片は、前記中空状コア層内面に付着し、
ボールに衝撃が加わることにより、前記フィルム小片の一部は、前記中空状コア層内面から剥離する
ことを特徴とする請求項１記載のボール。
【請求項３】
前記フィルム小片と前記中空状コア層内面との間に静電気が作用する
ことを特徴とする請求項１記載のボール。
【請求項４】
前記フィルム小片として華燭性を有するフィルムが用いられる
ことを特徴とする請求項１〜請求項３いずれかに記載のボール。
【請求項５】
前記ボールは、グラウンドゴルフ用ボールまたはパークゴルフ用ボールである
ことを特徴とする請求項１〜請求項４いずれかに記載のボール。
【請求項６】
透明または半透明な素材で構成される中空状コア層と、透明または半透明な素材で構成され、前記中空状コア層の表面に一体的に設けられた表面層と、前記中空状コア層内に挿入された一群のフィルム小片と、を備えるボールを用い、
転がした前記ボールが停止したときには、前記フィルム小片が前記中空状コア層内面に付着しており、
前記ボールに打撃を加えて、前記フィルム小片の一部を前記中空状コア層内面から剥離させ、
前記打撃により前記ボールを転がし、
転がした前記ボールが再度停止したときには、前記フィルム小片が前記中空状コア層内面に再度付着しており、
前記付着と前記剥離を繰り返す
ことを特徴とするボールの意匠形成方法。
【発明の詳細な説明】
【技術分野】
【０００１】
本発明はボールに関し、特にパークゴルフやグラウンドゴルフに用いるボールに関する。
【背景技術】
【０００２】
近年、ゴルフ競技に類似した種々のスポーツが提案されている。特に、年齢、性別、経験などを問わずにできる手軽なスポーツとして、パークゴルフやグラウンドゴルフが注目を集めている。パークゴルフやグラウンドゴルフでは、通常のゴルフボールよりも、直径や質量が大きいボールが使用されている。ボールの性能としては、反発力が高いことが望まれ、打撃後のボールがグランド上で直進し到達距離が大きいことが望まれる。
【０００３】
また、年齢、性別、経験などを問わず、万人を対象とするため、万人に対応できる自由な意匠性も望まれる。
【０００４】
一般的なボールは、中空状コア層と中空状コア層の表面に一体的に設けられた表面層とから構成されている。さらに、意匠性を高める加飾部が、中空状コア層表面、すなわち、中空状コア層と表面被覆層との間に存在している。
【０００５】
このようなボールに繰り返し打撃による衝撃を与えると、加飾部と中空状コア層表面（外面）との間、または、加飾部と表面層裏面（内面）との間に空隙が発生するおそれがある。この空隙により、中空状コア層と表面層とは剥離し、両者の一体性が損なわれ、ボール強度が低下するおそれがある。さらには、加飾部が損傷すると、意匠性も損なわれる。
【０００６】
さらに、加飾部が中空状コア層外面に有ると、インサート成形によって表面層を成形する場合、表面層の樹脂を注入する時の樹脂圧や樹脂熱で、加飾部が損傷するおそれもある。
【０００７】
上記問題に対し、本願発明者は本願発明の関連技術として、中空状コア層裏面（内面）に、蒸着等により加飾部を設ける技術を提案している。
【０００８】
関連技術に係るボールによれば、中空状コア層と表面層との一体性が損なわれにくい。その結果、耐久性が高い。
【先行技術文献】
【特許文献】
【０００９】
【特許文献１】特開２０１５−２２９０８２号公報
【発明の概要】
【発明が解決しようとする課題】
【００１０】
上記のように、本願発明者が提案する関連技術は優れたものではあるが、蒸着等により中空状コア層内面に加飾部を設ける工程が必須となり、その結果、製作コストが若干高くなる。
【００１１】
本願発明者は、なるべく製作コストを抑制すること考慮しつつ、関連技術の変形例を模索した。とくに、関連技術とは異なる意匠性について検討した。
【００１２】
本発明は上記課題を解決するものであり、関連技術の特徴を維持しながら、製作コストを抑制し、かつ、関連技術とは異なる意匠性を有するボールを提供することを目的とする。
【課題を解決するための手段】
【００１３】
本発明のボールは、透明または半透明な素材で構成される中空状コア層と、透明または半透明な素材で構成され、前記中空状コア層の表面に一体的に設けられた表面層と、前記中空状コア層内に挿入された一群のフィルム小片と、を備える。
【００１４】
上記発明において好ましくは、ボールが回転することにより、前記フィルム小片は、前記中空状コア層内面に付着し、ボールに衝撃が加わることにより、前記フィルム小片の一部は、前記中空状コア層内面から剥離する。
【００１５】
上記発明において好ましくは、前記フィルム小片と前記中空状コア層内面との間に静電気が作用する。
【００１６】
上記発明において好ましくは、前記フィルム小片として華燭性を有するフィルムが用いられる。たとえば、ホログラムフィルム、メタリックフィルム、着色フィルム（塗装）の群の中から選ばれる一種または二種以が用いられる。
【００１７】
上記発明において好ましくは、前記ボールは、グラウンドゴルフ用ボールまたはパークゴルフ用ボールである。
【００１８】
本発明は、ボールの意匠形成方法である。透明または半透明な素材で構成される中空状コア層と、透明または半透明な素材で構成され、前記中空状コア層の表面に一体的に設けられた表面層と、前記中空状コア層内に挿入された一群のフィルム小片と、を備えるボールを用い、転がした前記ボールが停止したときには、前記フィルム小片が前記中空状コア層内面に付着しており、前記ボールに打撃を加えて、前記フィルム小片の一部を前記中空状コア層内面から剥離させ、前記打撃により前記ボールを転がし、転がした前記ボールが再度停止したときには、前記フィルム小片が前記中空状コア層内面に再度付着しており、前記付着と前記剥離を繰り返す。
【発明の効果】
【００１９】
本発明では、蒸着等、中空状コア層内面に加飾部を設ける工程が不要になり、工程が簡略される結果、製作コストを抑制できる。
【００２０】
中空状コア層内面に対し、フィルム小片が付着、剥離を繰り返す結果、動的な意匠を形成する。
【図面の簡単な説明】
【００２１】
【図１】本実施形態に関わる概略構成図
【図２】本実施形態に関わる概略動作説明図
【図３】中空状コア層の構成例
【図４】中空状コア層内面変形例
【発明を実施するための形態】
【００２２】
〜基本構成・基本動作〜
図１は、本実施形態に関わる概略構成図（部分断面斜視図）である。本実施形態は、グラウンドゴルフ用またはパークゴルフ用等の打撃力が作用するボールである。ボールは、中空状コア層１と、中空状コア層１の表面に一体的に設けられた表面層２と、を備える。中空状コア層１内には一群のフィルム小片３が挿入される。
【００２３】
中空状コア層１は、透明または半透明な素材で構成される。表面層２は、透明または半透明な素材で構成される。フィルム小片３はホログラムフィルム等意匠性を有するものが好ましい。
【００２４】
図２は、本実施形態に関わる概略動作説明図である。
【００２５】
クラブによりボールに打撃が加えられると、ボールは回転しながら移動する。中空状コア層１内のフィルム小片３は激しく撹拌され、その際、摩擦により帯電されるものと推測される（図示左側）。
【００２６】
ボールが停止すると、一群のフィルム小片３は中空状コア層１内面に略均一に付着する（図示右側）。プレーヤーは、表面層２、中空状コア層１を通して、フィルム小片３により形成された意匠を視認できる。
【００２７】
再び打撃が加えられると、打撃箇所を中心に、中空状コア層１内面に略均一に付着していたフィルム小片３が剥離する。ボール回転に伴い、フィルム小片３は激しく撹拌され、その際、摩擦により帯電されるものと推測される。転がしたボールが再度停止したときには、フィルム小片３が中空状コア層１内面に再度付着する。その際、フィルム小片３により形成された意匠は、前回と微妙に異なる。
【００２８】
グラウンドゴルフまたはパークゴルフでは、プレーヤーは複数回の打撃を繰り返す。その度に、フィルム小片３は付着と剥離を繰り返す。ボールは、毎回微妙に異なった意匠を形成する。
【００２９】
〜詳細構成〜
中空状コア層１は、半球体１ａと半球体１ｂとを突き合わせることによって、構成されていてもよい。さらに、半球体１ａに凹部が形成され、半球体１ｂに凸部が形成され、凹凸の嵌合構造によって、半球体１ａと半球体１ｂとが機械的構造によって結合されていてもよい。
【００３０】
また、図３のように、凹部を有する半球体１ａと、凹部を有する半球体１ｂと、凹部に嵌合されるリング体１ｃとから構成されていてもよい。
【００３１】
中空状コア層１の内径（半径）は例えば１５ｍｍ程度（１０〜２０ｍｍ）、外径（半径）は２５ｍｍ（１５〜２５ｍｍ）程度、層厚は１０ｍｍ程度（５〜２０ｍｍ）であることが好ましい。
【００３２】
表面層２は、中空状コア層１の表面に一体的に被覆されている。表面層２の層厚は５ｍｍ程度（１〜１０ｍｍ）であることが好ましい。その結果、ボールの大きさ（半径ｒ）は、例えば２０〜４０ｍｍ程度になる。
【００３３】
中空状コア層１と表面層２とは、同種の素材（例えば、同種の樹脂）で構成されていると好ましく、同一素材（例えば、同一樹脂）で構成されていると更に好ましい。中空状コア層１と表面層２とが同種であることにより、表面層２と中空状コア層１との結合力（一体化力）は高くなる。
【００３４】
中空状コア層１および表面層２は、透明（半透明を含む）な樹脂で構成されている。好ましくは、例えばアイオノマー樹脂、ウレタン系樹脂、及びアミド系樹脂の群の中から選ばれる一種または二種以上が用いられて構成される。アイオノマー樹脂が特に好ましい。
【００３５】
アイオノマー樹脂は、例えばアクリル系高分子およびエチレン等を、ナトリウムや亜鉛などの金属カチオンを加え、分子間結合させて製造される。アイオノマー樹脂は透明性を具備している。アイオノマー樹脂は、顔料との相溶性が良く、着色が容易である。アイオノマー樹脂は適度な弾力性や柔軟性を有している。アイオノマー樹脂は耐クラック性が良好である。アイオノマー樹脂は耐磨耗性にも優れている。アイオノマー樹脂は耐油性が良好である。アイオノマー樹脂は低温での物性低下が少ない。アイオノマー樹脂は金属との接着性に優れている。アイオノマー樹脂は、成形性が良好であり、射出・押出・ブロー成型などが簡単に採用できる。
【００３６】
このような観点から、中空状コア層１や表面層２の構成材料として、アイオノマー樹脂は好適である。
【００３７】
なお、中空状コア層１と表面層２とが異種の素材（例えば、異種の樹脂）で構成されていてもよい。異なる素材で構成させる場合、中空状コア層１と表面層２との結合力が多少は犠牲になるものの、ボールに要求される他の特性（例えば、弾力性、耐摩耗性、耐汚染性（汚れ難さ）、撥水性、変形し難さ等）のうち、例えば弾力性、耐摩耗性、耐汚染性（汚れ難さ）、撥水性等に関しては表面層２で担保させ、変形し難さに関しては中空状コア層１で担保させることもできる。
【００３８】
表面層２を硬質素材で構成し、中空状コア層１を軟質素材で構成させた場合、このボールは反発力が高まり、良く飛び、かつ、打った際の感じが良く、かつ、転がり抵抗が少ないので良く転がり、更には傷が付き難くすることもできる。
【００３９】
フィルム小片３は、たとえば、華燭性を有するフィルムシートを細断したものである。華燭性を有するフィルムとしては、ホログラムフィルム、メタリックフィルム、着色フィルム（塗装）等がある。ホログラム加工されたフィルムは、見る方向により色が変わったり、立体的に見えたりする。
【００４０】
ところで、ネイルアート等の素材として、裁断されたホログラムフィルムシートが、ホログラムチップとして市販されている。矩形以外にも円形、多角形、星形、花型など形状も多様であり、サイズも０．０５〜３ｍｍ程度まで多様である。また、色彩も多様である。これらを、フィルム小片３として代用してもよい。
【００４１】
ホログラムフィルムシートは、支持層と、ホログラム形成層と、保護層を含む多層構造として形成される。支持層や保護層にはPET樹脂が用いられることが多い。これらの素材は、摩擦により帯電しやすい。
【００４２】
フィルム小片３は、最大寸法が３ｍｍ以下であることが好ましく、サイズが細かい程、帯電により付着しやすくなる。
【００４３】
フィルム小片３の面積の合計が、中空状コア層１内の表面積より大きければ、隙間ない付着が期待できる。したがって、フィルム小片３の挿入量は、中空状コア層１内の表面積に比例する。
【００４４】
〜推測される原理〜
本実施形態では、フィルム小片３の摩擦帯電により、フィルム小片３と中空状コア層１内面との間に静電気が作用するものと推測される。
【００４５】
したがって、フィルム小片３表面と中空状コア層１内面は誘電体であり、帯電しやすいことが好ましい。帯電しやすさについては、誘電率として表現できる。
【００４６】
上記の例の場合、アイオノマー樹脂により構成した中空状コア層１の誘電率は2.3〜2.5、PET樹脂により構成されるフィルム小片３の保護層の誘電率は、約3.2である。
【００４７】
本願発明者の検討結果によれば、誘電率1.2〜10の樹脂系材料を用いることが好ましい。
【００４８】
さらに、静電気による付着は、外部からの衝撃により容易に剥離可能である。
【００４９】
〜多様な意匠形成〜
一般的なホログラムフィルムは、光沢を有する表面と、光沢を有しない裏面とを有する。本実施形態では、任意に表裏が選択される。その結果、ランダムな光沢を演出し、毎回微妙に異なった意匠を形成する。
【００５０】
比較的大きなフィルム小片３ａと比較的小さなフィルム小片３ｂを含む複数のサイズの小片を含む場合、フィルム小片３ａ付着の隙間にフィルム小片３ｂが付着し、隙間ない意匠を形成できる。
【００５１】
ある任意の色彩を基調とするフィルム小片３ｃと別の色彩を基調とするフィルム小片３ｄを含む複数の色の小片を含む場合、各色彩が任意に拡散して付着し、しかも、毎回微妙に異なった意匠を形成する。
【００５２】
また、フィルム小片３にホログラムフィルムを用いることが好ましいが、金や銀など光沢層で被覆された折り紙により代替してもよい。光沢を抑えたい場合は、有色のフィルムでもよい。
【００５３】
上記はフィルム小片を変更することにより、多様な意匠形成を試みたが、中空状コア層１内面を変更することにより、多様な意匠形成を試みてもよい。
【００５４】
例えば、図４のように、中空状コア層１内面に、コア層径よりも小さな球面を設けて凹凸を構成してもよい。フィルム小片３は中空状コア層１内面に沿って付着する。これにより、中空状コア層１内面が形成する凹凸による意匠を形成する。
【００５５】
同様に、中空状コア層１内面に凹凸による模様をつけることにより、凹凸がない場合と異なった意匠を形成する。また、中空状コア層１内面を多面体（例えば正二十面体）としてもよい。
【００５６】
〜効果〜
本実施形態を、中空状コア層内面に蒸着等により加飾部を設ける関連技術（比較例）と比較することで、本実施形態の効果について説明する。
【００５７】
比較例では、蒸着工程等が必須となり、その結果、製作コストが若干高くなる。これに対し、本実施形態では、一群のフィルム小片３を中空状コア層１内に挿入するのみであり、工程が簡略化できる。その結果、製作コストを抑制できる。
【００５８】
比較例では、蒸着等により固定された加飾部は、常に同じ意匠になり、面白味がなかった。これに対し、本実施形態では、フィルム小片３の付着・剥離の繰り返しにより、ボールは、毎回微妙に異なった意匠を形成する。したがって、プレーヤは飽きることがない。
【００５９】
比較例では、耐久性が高い特徴を有するものの、経時的に加飾部が剥離するおそれがある。一度、加飾部が剥離すれば、意匠性は大きく損なわれ、ボールは使用に値しなくなる。これに対し、本実施形態では、静電気の作用を利用しているため、半永久的に意匠が繰り返し形成される。
【００６０】
比較例における蒸着等では、複雑な色彩の意匠を形成することが難しかった。これに対し、本実施形態では、フィルム小片３の種類を工夫（例えば複数の色彩を混合）するだけで、複雑な色彩の意匠を形成できる。
【００６１】
比較例では、中空状コア層１内面が滑らかな球面以外であると、均一な蒸着等が難しかった。これに対し、本実施形態では、中空状コア層１内面に凹凸を設けても、フィルム小片３は均一に付着する。その結果、より多様な意匠を形成できる。
【００６２】
すなわち、本願実施形態では比較例に比べて意匠形成が容易である結果、意匠形成の自由度が高い。
【符号の説明】
【００６３】
１      中空状コア層
２      表面層
３      フィルム小片
【図１】
2018079084.tif 000003
【図２】
2018079084.tif 000004
【図３】
2018079084.tif 000005
【図４】
2018079084.tif 000006